(57)【要約】  天井埋込型空気調和機は、下方が開口した箱状に構成された空気調和機本体と、空気調和機本体の下方に取り付けられる化粧パネルとを備える。化粧パネルは、空気調和機本体の開口を覆うパネル本体と、パネル本体の下方に着脱自在に取り付けられるパネル部材とを備える。パネル本体は、パネル部材が取り付けられる領域内に開口部を有し、開口部の角部には、紐が引っ掛けられる紐引っ掛け部が、角部から開口部内に突出して一体化されて構成されている。パネル部材には、パネル本体と対向する面側に、紐を保持する保持部が一体化されて構成されている。そして、輪状の紐の一端部が保持部で保持され、他端部が紐引っ掛け部に引っ掛けられてパネル本体とパネル部材とが紐で連結される。
2018167848.tif 000002
【特許請求の範囲】
【請求項１】
下方が開口した箱状に構成された空気調和機本体と、
前記空気調和機本体の下方に取り付けられる化粧パネルとを備え、
前記化粧パネルは、前記空気調和機本体の前記開口を覆うパネル本体と、
前記パネル本体の下方に着脱自在に取り付けられるパネル部材とを備え、
前記パネル本体は、前記パネル部材が取り付けられる領域内に開口部を有し、前記開口部の角部には、紐が引っ掛けられる紐引っ掛け部が、前記角部から前記開口部内に突出して一体化されて構成されており、
前記パネル部材には、前記パネル本体と対向する面側に、前記紐を保持する保持部が一体化されて構成されており、輪状の前記紐の一端部が前記保持部で保持され、他端部が前記紐引っ掛け部に引っ掛けられて前記パネル本体と前記パネル部材とが前記紐で連結される天井埋込型空気調和機。
【請求項２】
前記紐引っ掛け部は、前記開口部の角部から前記開口部内に突出する第１片部と、前記第１片部の先端部から互いに逆向きに延びた後に折り返された構成の一対の第２片部とを有する請求項１記載の天井埋込型空気調和機。
【請求項３】
前記紐引っ掛け部は、前記開口部の前記角部から突出する第１片部と、前記第１片部の先端部から折り返された構成の第２片部とを有する請求項１記載の天井埋込型空気調和機。
【請求項４】
前記紐引っ掛け部において前記第２片部の先端部と、前記開口部の前記角部を形成する２面のうち前記第２片部の先端部と対向する面との距離が、前記紐に引っ張り力が加わった状態における太さ以上、前記紐の自然状態における太さ以下に設定されている請求項２又は請求項３記載の天井埋込型空気調和機。
【請求項５】
前記保持部は、前記パネル部材に対し、以下を満足する位置に形成されている請求項３又は請求項４記載の天井埋込型空気調和機。
Ｌ＜Ｌｍ＜Ｌ＋Ｄ  且つ  Ｌｍ＞Ｌａ
ここで、
Ｌ：前記紐引っ掛け部の前記第１片部の前記先端部と前記保持部との距離
Ｄ：前記紐引っ掛け部の前記第１片部の前記先端部と、前記紐引っ掛け部が設けられた前記開口部の角部を構成する２面のうち前記第２片部の先端部と対向する面、との前記第１片部に垂直な方向の距離
Ｌｍ：前記紐が輪状になった状態での長さ
Ｌａ：前記パネル部材が吊り下がった状態において前記パネル部材と紐とが重なる上下方向の長さ
【請求項６】
前記開口部は、前記空気調和機本体に対する作業箇所と対向して形成されている請求項１〜請求項５の何れか一項に記載の天井埋込型空気調和機。
【請求項７】
前記空気調和機本体は一方向に延びて形成され、前記パネル本体は、前記空気調和機本体の長手方向に延びて形成され、前記パネル本体の長手方向の中央部に吸込口と第１吹出口とが前記パネル本体の前記長手方向に延びて且つ短手方向に並列に形成され、前記パネル本体の前記長手方向の両端部に前記開口部が形成されている請求項１〜請求項６の何れか一項に記載の天井埋込型空気調和機。
【請求項８】
前記開口部は矩形状であり、２つの前記開口部のそれぞれにおいて前記紐引っ掛け部の形成位置は、前記開口部の内周の四面のうち、前記パネル本体の長手方向の両端側の一面と前記パネル本体の短手方向に対向する二面のうち前記第１吹出口側の一面とで形成される角部である請求項７記載の天井埋込型空気調和機。
【請求項９】
前記パネル本体には、前記第１吹出口と共に前記吸込口を前記短手方向に挟むようにして第２吹出口が形成され、
前記紐引っ掛け部は、前記開口部の内周の四面のうち、前記パネル本体の長手方向の両端側の一面の両端部に形成されている請求項８記載の天井埋込型空気調和機。
【発明の詳細な説明】
【技術分野】
【０００１】
本発明は、天井埋込型空気調和機に関し、さらに詳しくは、化粧パネルに設けたパネル部材の落下防止構造を備えた天井埋込型空気調和機に関するものである。
【背景技術】
【０００２】
従来の天井埋込型空気調和機は、下方が開口した箱状の空気調和機本体と、空気調和機本体の開口を覆う化粧パネルとを備えている。化粧パネルは、パネル本体と、吸込口を有する吸込グリルとを有し、吸込グリルは係止構造によってパネル本体に取り付けられている。そして、メンテナンス等において吸込グリルをパネル本体から取り外す際には、係止構造による係止を解除して吸込グリルをパネル本体から取り外す。この際、吸込グリルが作業員の手からすり抜けて落下する可能性があり、これを防止するため、従来より、吸込グリルとパネル本体とが紐で連結されている（例えば、特許文献１参照）。【０００３】
特許文献１において、紐の両端部にはそれぞれ取付金具が取り付けられ、各取付金具を、パネル本体と吸込グリルのそれぞれに設けられた保持部に引っ掛けることで、吸込グリルとパネル本体とを紐で連結している。
【先行技術文献】
【特許文献】
【０００４】
【特許文献１】特開２００１−１０８２５９号公報
【発明の概要】
【発明が解決しようとする課題】
【０００５】
特許文献１の空気調和機では、紐の他に部品が２つ必要となって、部品点数が増えることによるコスト増加を招く。また、紐を取付金具に括り付けて紐と取付金具とを取り付ける必要があり、その作業を２つの取付金具それぞれに対して行う必要があるため、製品組立時の手数増加等の問題点があった。【０００６】
本発明は、上記のような課題を解決するためになされたもので、パネル本体に取り付けられるパネル部材の落下防止を図るにあたり、部品点数および製品組立時の手数の削減が可能な天井埋込型空気調和機を得ることを目的とする。
【課題を解決するための手段】
【０００７】
本発明に係る天井埋込型空気調和機は、下方が開口した箱状に構成された空気調和機本体と、空気調和機本体の下方に取り付けられる化粧パネルとを備え、化粧パネルは、空気調和機本体の開口を覆うパネル本体と、パネル本体の下方に着脱自在に取り付けられるパネル部材とを備え、パネル本体は、パネル部材が取り付けられる領域内に開口部を有し、開口部の角部には、紐が引っ掛けられる紐引っ掛け部が、角部から開口部内に突出して一体化されて構成されており、パネル部材には、パネル本体と対向する面側に、紐を保持する保持部が一体化されて構成されており、輪状の紐の一端部が保持部で保持され、他端部が紐引っ掛け部に引っ掛けられてパネル本体とパネル部材とが紐で連結されるものである。
【発明の効果】
【０００８】
本発明によれば、パネル部材に一体化されて構成された保持部で保持された紐を、パネル本体に一体化されて構成された紐引っ掛け部に引っ掛けるだけで、パネル部材とパネル本体とが紐で連結される構成とした。つまり、パネル本体とパネル部材とのそれぞれの一体成形部分に紐を取り付ければよいため、予め紐に対して紐取付用の部品を取り付ける手間も、また部品自体も不要であり、部品点数の削減および製品組立時の手数の削減が可能である。
【図面の簡単な説明】
【０００９】
【図１】本発明の実施の形態に係る天井埋込型空気調和機１を示す斜視図である。
【図２】本発明の実施の形態に係る天井埋込型空気調和機１の概略断面図である。
【図３】本発明の実施の形態に係る天井埋込型空気調和機１のパネル本体４を意匠側から見た図である。
【図４】本発明の実施の形態に係る天井埋込型空気調和機１においてサイドパネル５が取り外され、紐１９でパネル本体４から吊り下がる状態の斜視図である。
【図５】本発明の実施の形態に係る天井埋込型空気調和機１のサイドパネル５を意匠面とは反対側から見た斜視図である。
【図６】本発明の実施の形態に係る天井埋込型空気調和機１のパネル部材落下防止構造の説明図である。
【図７】本発明の実施の形態に係る天井埋込型空気調和機１においてサイドパネル５が吊り下がった状態の斜視図である。
【図８】本発明の実施の形態に係る天井埋込型空気調和機１のパネル本体４に設けた紐引っ掛け部１３の拡大斜視図である。
【図９】本発明の実施の形態に係る天井埋込型空気調和機１の二方向送風型のパネル本体４を意匠側から見た図である。
【図１０】本発明の実施の形態に係る天井埋込型空気調和機１の紐引っ掛け部１３の変形例を示す拡大斜視図である。
【発明を実施するための形態】
【００１０】
実施の形態
図１は、本発明の実施の形態に係る天井埋込型空気調和機１を示す斜視図である。図２は、本発明の実施の形態に係る天井埋込型空気調和機１の概略断面図である。図３は、本発明の実施の形態に係る天井埋込型空気調和機１のパネル本体４を意匠側から見た図である。なお、以下の説明で用いる「上」「下」「左」「右」「前」「後」「手前」は、特にことわらない限り、図１に示した天井埋込型空気調和機１の設置状態を基準とした方向を示している。
【００１１】
天井埋込型空気調和機１は、下方が開口し、一方向に延びて形成された箱状の空気調和機本体２と、空気調和機本体２の下方に取り付けられた化粧パネル３とを備えたカセット型の天井埋込型空気調和機１である。化粧パネル３は、矩形状のパネル本体４と、サイドパネル５と、吸込グリル６とを有する。
【００１２】
パネル本体４は、空気調和機本体２の長手方向に延びて形成され、空気調和機本体２の下方開口を覆うものである。パネル本体４は、図３に示すようにパネル本体４に設けた７箇所の本体ネジ止め部２７により空気調和機本体２にネジ止め固定される。パネル本体４には、長手方向の中央部に２つの吸込口９と吹出口１０とがそれぞれ、パネル本体４の長手方向に延びて且つ短手方向に並列に形成されている。２つの吸込口９は短手方向に隣接して配置されている。なお、吸込口９の数は２つに限定するものではなく、自由に設定できる。吹出口１０には、室内へと吹き出す空気の風向を調整するベーン２５が設けられている。なお、吹出口１０は本発明の第１吹出口に相当する。
【００１３】
また、パネル本体４には、長手方向の両端部に、作業用の開口部１２が形成されている。開口部１２はどちらも、概ね矩形状に形成されている。そして、開口部１２の内周部の一つの角部１７に、紐１９が引っ掛けられる紐引っ掛け部１３が形成されている。紐引っ掛け部１３については改めて説明する。また、開口部１２が作業用として機能する点についても後述する。
【００１４】
サイドパネル５は、パネル本体４に形成された開口部１２を覆うように、パネル本体４の長手方向の両端部に着脱自在に取り付けられている。サイドパネル５は、本発明のパネル部材に相当する。
【００１５】
吸込グリル６は、パネル本体４に形成された吸込口９を覆うように、パネル本体４の長手方向の中央部において短手方向の一方に寄せて配置されている。吸込グリル６には、パネル本体４の２つの吸込口９に対向して２つのグリル吸込口６ａが形成されている。また、吸込グリル６は、後述の図４に示すように長手方向に延びる一辺部側に設けた図示しないシャフトを介してパネル本体４と回動可能に接続され、吸込口９を開閉するようになっている。そして、吸込グリル６は、シャフトを設けた一辺部と対向する他の一辺部側が係止構造によってパネル本体４に係止されて吸込グリル６がパネル本体４に取り付けられている。
【００１６】
空気調和機本体２内には、図２に示すように、吸込口９から吹出口１０に至る風路が形成され、その風路内にラインフローファン７と、熱交換器８とが配置されている。そして、ラインフローファン７の回転により、吸込グリル６に設けたグリル吸込口６ａから吸込口９を介して空気調和機本体２内に空気が吸い込まれ、吸込まれた空気は、熱交換器８を通って熱交換され、温度調整されて吹出口１０から吹出される。この際、ベーン２５を駆動させることで、吹出口１０から吹き出す風向を変えることができる。空気の流れは図２の矢印の通りである。
【００１７】
天井埋込型空気調和機１は、一つの吹出口１０から温調空気を吹き出す一方向送風型の天井埋込型空気調和機である。このタイプの天井埋込型空気調和機１は、空気調和機本体２の短手方向に対向する一対の側面のうち、吹出口１０と逆側の側面が壁側に寄せて据え付けられ、吹出口１０が壁から離れた位置となるように配置される。図１でいえば、図示手前側の側面が壁側となるように空気調和機本体２が配置される。
【００１８】
図４は、本発明の実施の形態に係る天井埋込型空気調和機１においてサイドパネル５が取り外され、紐１９でパネル本体４から吊り下がる状態の斜視図である。
空気調和機本体２は、天井裏の図示しない梁から垂下された４本の吊り下げボルト１１により吊り下げ支持されている。空気調和機本体２の吊り下げ高さ、つまり天井面からの空気調和機本体２の位置の調整は、開口部１２を介して行われる。すなわち、据付作業時に空気調和機本体２を吊り下げた後、パネル本体４を空気調和機本体２に固定し、その後、開口部１２を介して吊り下げボルト１１の締め具合を調整することで、空気調和機本体２の吊り下げ高さが微調整される。つまり、開口部１２は作業スペースとなるものであり、空気調和機本体２に対する作業箇所、ここでは吊り下げボルト１１に対向してパネル本体４に形成されている。
【００１９】
図５は、本発明の実施の形態に係る天井埋込型空気調和機１のサイドパネル５を意匠面とは反対側から見た斜視図である。
サイドパネル５は、一方向に延びた矩形状に構成され、意匠面とは反対側の面（以下、裏面という）の外周の四辺部に、ネジ貫通孔を備えたフランジ部２１、３つの引っ掛け爪２２、２つの固定爪２３、が分散して設けられている。すなわち、フランジ部２１は、外周の四辺部のうち吹出口１０側の一辺部５ａの中央部に設けられる。３つの引っ掛け爪２２は一辺部５ａと対向する一辺部５ｂに等間隔で直列に設けられる。２つの固定爪２３は、一辺部５ａ、５ｂと直交する一辺部５ｃ、５ｄのそれぞれの吹出口１０側に設けられている。保持部２４は、サイドパネル５を吊り下げるための紐１９を保持する部分であり、保持部２４については改めて説明する。
【００２０】
このように構成されたサイドパネル５は、引っ掛け爪２２をパネル本体４に引っ掛け、固定爪２３をパネル本体４に設けた図示しない係止部に係止することで、パネル本体４に仮固定される。そして、フランジ部２１に設けたネジ貫通孔にネジを通し、パネル本体４に設けたサイドパネルネジ止め部２８（図３参照）にネジ留めすることにより、サイドパネル５はパネル本体４に本固定される。
【００２１】
そして、本実施の形態の特徴とする構成として、サイドパネル５の取り外し時にサイドパネル５が落下するのを防止するパネル部材落下防止構造を設けたことにある。以下、この構造について説明する。
【００２２】
図６は、本発明の実施の形態に係る天井埋込型空気調和機１のパネル部材落下防止構造の説明図である。図６には、パネル本体４にサイドパネル５が取り付けられた状態における、紐１９の取付状態を示している。また、図６には、説明の都合上、サイドパネル５に設けた保持部２４も併せて図示している。図７は、本発明の実施の形態に係る天井埋込型空気調和機１においてサイドパネル５が吊り下がった状態の斜視図である。
【００２３】
パネル部材落下防止構造は、パネル本体４に設けた紐引っ掛け部１３と、サイドパネル５に設けた保持部２４とを備え、紐引っ掛け部１３と保持部２４とを紐１９で連結した構造である。
【００２４】
以下、紐引っ掛け部１３および保持部２４について順に説明する。
【００２５】
図８は、本発明の実施の形態に係る天井埋込型空気調和機１のパネル本体４に設けた紐引っ掛け部１３の拡大斜視図である。
紐引っ掛け部１３は、上述したように開口部１２の一つの角部１７に形成されている。紐引っ掛け部１３が形成される角部１７は、開口部１２の内周の四面のうち、パネル本体４の長手方向の両端側の一面１２ａとパネル本体４の短手方向に対向する二面のうち吹出口１０側の一面１２ｂとで形成される角部である。
【００２６】
ここで、上述したように天井埋込型空気調和機１は一方向送風型であり、空気調和機本体２の短手方向において吹出口１０と反対側が壁側となる。このため、角部１７の位置は、いわば空気調和機本体２が取り付けられる壁と反対側であって、且つ、風路から離れた位置である。よって、この位置の角部１７に紐引っ掛け部１３を設けることで、サイドパネル５がパネル本体４から取り外されて紐１９で吊り下げられた状態となった際に、サイドパネル５が吹出口１０側に振れて壁に衝突することによる壁とサイドパネル５の破損を防ぐことができる。
【００２７】
紐引っ掛け部１３は、角部１７から開口部１２内に向かって突出する第１片部１４と、第１片部１４の先端部から互いに逆向きに延びた後、折り返された構成の一対の第２片部１５ａ、１５ｂとを有する。さらに詳しくは、第１片部１４は、角部１７を構成する２面のそれぞれからの角度がここでは４５゜の方向に突出している。また、一対の第２片部１５ａ、１５ｂのそれぞれは、第１片部１４の先端部から第１片部１４に対して直角方向に延びた後、第２片部１５ａ、１５ｂの先端面１５ａａ、１５ｂａと対向する面１２ａ、１２ｂに垂直な方向に延びて形成されている。また、紐引っ掛け部１３の上下方向（図８の紙面に垂直な方向）の両端面１６はパネル本体４の同方向の面と平行な平面となっている。
【００２８】
紐引っ掛け部１３の上下方向（図８の紙面に垂直な方向）の両端面１６をパネル本体４の同方向の面と平行な平面とすることで、パネル本体４の成形時に金型の制約もなく、パネル本体４と紐引っ掛け部１３とを一体化して一部材として成形することができる。なお、一対の第２片部１５ａ、１５ｂがここでは第１片部１４から直角方向に延びるとしたが、直角に限られたものではない。紐１９が引っ掛けられることを考慮すると、直角以外には鋭角が好ましい。
【００２９】
そして、紐引っ掛け部１３に紐１９を引っ掛ける際には、第２片部１５ａ、１５ｂの先端面１５ａａ、１５ｂａと面１２ａ、１２ｂとの隙間に紐１９を通せばよい。
【００３０】
次に、第２片部１５ａ、１５ｂの先端面１５ａａ、１５ｂａとこの先端面１５ａａ、１５ｂａと対向する面１２ａ、１２ｂとの距離Ｌｂ（図６参照）について検討する。
【００３１】
紐１９は、紐引っ掛け部１３に取り付けられたり、取り外されたりするため、どちらの作業も簡単に行うことができつつ、紐引っ掛け部１３への取付状態では紐１９が紐引っ掛け部１３から簡単には外れない構成とすることが望ましい。このため、第２片部１５ａ、１５ｂの先端面１５ａａ、１５ｂａとこの先端面１５ａａ、１５ｂａと対向する面１２ａ、１２ｂとの距離Ｌｂは以下のように設定される。すなわち、紐１９は引っ張って力を加えると変形して太さが細くなることを考慮して、距離Ｌｂは、紐１９に引っ張り力が加わった状態での太さ以上、紐１９の自然状態での太さ以下に設定する。これにより、紐１９が紐引っ掛け部１３に取り付けられた状態では紐１９は第２片部１５ａ、１５ｂから外れにくいが、意図すれば取り外しも容易にでき、据付作業者の負担を少なくできる。
【００３２】
次に、保持部２４について説明する。
保持部２４は、図５に示したようにサイドパネル５の裏面に一体成形されている。保持部２４は、サイドパネル５の裏面から垂直に突出した四角形状の突起部２４ａに貫通孔２４ｂが形成された構成を有する。貫通孔２４ｂは、引っ掛け爪２２が形成された一辺部５ｂに垂直な方向に延びて形成されている。
【００３３】
以上のように構成されたパネル部材落下防止構造において、紐１９を取り付ける際は、サイドパネル５に設けた保持部２４に紐１９を通し、その後、紐１９の両端部を結んで輪を作る。これにより、紐１９の一端部が保持部２４で保持された状態となる。そして、輪になった紐１９の他端部を、パネル本体４に有する紐引っ掛け部１３の第２片部１５ａ、１５ｂに引っ掛ける。以上で紐１９の取り付けが完了する。
【００３４】
次に、サイドパネル５における保持部２４の位置について説明する。保持部２４の位置は、パネル本体４に設けた紐引っ掛け部１３の形状と紐１９の長さとの関係により決まる。具体的には、紐１９が紐引っ掛け部１３と保持部２４とに取り付けられ、且つサイドパネル５がパネル本体４に取り付けられた状態において、紐１９が弛まず張った状態となるように保持部２４の位置が設定される。紐１９が弛んでいると、サイドパネル５とパネル本体４とが重なる部分に紐１９が噛み込まれ、また紐１９がサイドパネル５から露出して美観を損ねるからである。保持部２４の位置はさらに、サイドパネル５がパネル本体４から吊り下がった時にパネル本体４に当たることのない十分な距離を確保できる位置に設定される。
【００３５】
以上の条件を満たす位置は 以下の関係を満たすようにすればよい。
Ｌ＜Ｌｍ＜Ｌ＋Ｄ  且つ  Ｌｍ＞Ｌａ
ここで、
Ｌ：紐引っ掛け部１３の第１片部１４の先端部と保持部２４との距離
Ｄ：紐引っ掛け部１３の第１片部１４の先端部と、紐引っ掛け部１３が設けられた角部１７を構成する２面のうち第２片部１５ａの先端部と対向する面１２ａ、との前記第１片部１４に垂直な方向の距離
Ｌｍ：紐１９が輪状になった状態での長さ
Ｌａ：サイドパネル５が吊り下がった状態においてサイドパネル５と紐１９とが重なる上下方向の長さ
【００３６】
以上の関係を満たす位置に保持部２４を設けることで、サイドパネル５がパネル本体４に取り付けられた状態で紐１９が弛まず、また、サイドパネル５がパネル本体４から吊り下がった時に、吸込グリル６に当たらない構成とすることができる。
【００３７】
次に、据付作業時の動作について説明する。
化粧パネル３は、吸込グリル６およびサイドパネル５がパネル本体４に取り付けられ、さらに紐１９も取り付けられた状態で据付場所に運ばれる。そして、天井埋込型空気調和機１の据付作業開始時に、作業者は、天井裏から釣り下げられた空気調和機本体２に化粧パネル３を固定する。
【００３８】
そして、パネル本体４からサイドパネル５を取り外す。この取り外しの際には、まず、吸込グリル６を開放し、フランジ部２１を露出させる。そして、フランジ部２１に締められているネジを取り外し、さらにサイドパネル５に２か所ある固定爪２３の係止を外す。そして、サイドパネル５に３か所ある引っ掛け爪２２の係止を外す。これにより、サイドパネル５がパネル本体４から取り外される。
【００３９】
このように、サイドパネル５がパネル本体４から完全に取り外された状態となった際に、仮にサイドパネル５が手元から離れても、サイドパネル５は紐引っ掛け部１３に紐１９で吊り下げられた状態となる。よって、サイドパネル５の落下および紛失を防ぐことができる。
【００４０】
また左右それぞれのサイドパネル５をパネル本体４から紐１９で吊り下げたまま据付作業を行うことができる。このため、作業後、サイドパネル５を再びパネル本体４に取り付ける際には、吊り下がった状態から取り付ければよい。このため、例えば取り外したサイドパネル５を床に置くなどする場合に比べてサイドパネル５の取り付けを素早く行うことができ、据付施工の作業性、メンテナンス性の向上を図ることができる。
【００４１】
以上のように、本実施の形態によれば、サイドパネル５に一体化して構成された保持部２４で保持された紐１９を、パネル本体４に一体化して構成された紐引っ掛け部１３に引っ掛けるだけで、サイドパネル５とパネル本体４とが紐１９で連結される構成とした。つまり、パネル本体４とサイドパネル５とのそれぞれの一体成形部分に、紐１９を取り付ければよいため、予め紐１９に対して紐取付用の部品を取り付ける手間も、また部品自体も不要であり、部品点数の削減および製品組立時の手数の削減が可能である。
【００４２】
また、紐引っ掛け部１３は、開口部１２の角部１７から開口部１２内に突出する第１片部１４と、第１片部１４の先端部から互いに逆向きに延びた後に折り返された構成の一対の第２片部１５ａ、１５ｂとを有する。このように第２片部１５ａ、１５ｂを折り返しの形状としたので、紐１９を外れにくい状態に取り付けることができる一方、取り外しも容易であり、組立、据付作業性を向上させることができる。
【００４３】
さらに言えば、折り返した第２片部１５ａ、１５ｂの各先端部と角部１７を構成する各側面との間の距離を、紐１９に引っ張り力が加わった状態での太さ以上、紐１９の自然状態での太さ以下に設定した。このため、紐引っ掛け部１３に紐１９を引っ掛け易く、また意図しなければ紐１９が外れにくい構成とすることができる。
【００４４】
また、保持部２４を、Ｌ＜Ｌｍ＜Ｌ＋Ｄ、且つ、Ｌｍ＞Ｌａ、関係を満たすようにサイドパネル５に配置することで、サイドパネル５をパネル本体４に取り付けた状態で、紐１９を張った状態にできる。このため、紐１９がパネル本体４とサイドパネル５との間に噛み込まれたり、また、サイドパネル５がパネル本体４から吊り下がったときにパネル本体４に当たったりといった不都合が生じない。
【００４５】
また、紐引っ掛け部１３が、開口部１２の複数の角部のうち、空気調和機本体２が取り付けられる壁と反対側であって、且つ、風路から離れた側の角部１７に設けられている。このため、パネル本体４から吊り下がったサイドパネル５が壁に衝突することによる壁とサイドパネル５の破損を防ぐことができる。
【００４６】
また、開口部１２は、空気調和機本体２に対する作業箇所と対向して形成されている開口部であり、つまり紐引っ掛け部１３を設けるため専用の開口部ではない。このため、紐引っ掛け部１３をパネル本体４に設けるにあたり、紐引っ掛け部１３以外の設計変更が不要であり、また、パネル本体４におけるいわば空き領域を利用して紐引っ掛け部１３を設けることができる。
【００４７】
また、紐引っ掛け部１３は、開口部１２内の角部１７に設けられており、開口部１２を介した作業時に、通常手が触れることの無い位置であるため、紐引っ掛け部１３の破損を防ぐことができ、且つ作業者が手を負傷することもない。
【００４８】
なお、本発明の天井埋込型空気調和機１は、上記の各図に示した構造に限定されるものではなく、本発明の要旨を逸脱しない範囲で例えば以下のように種々変形実施可能である。
【００４９】
（変形例１）
上記では、吹出口１０が一つの一方向送風型の天井埋込型空気調和機１を示したが、吹出口１０が二つの二方向送風型の天井埋込型空気調和機１であってもよい。二方向送風型とした場合の紐引っ掛け部１３Ａの位置について次の図９を参照して説明する。
【００５０】
図９は、本発明の実施の形態に係る天井埋込型空気調和機１の二方向送風型のパネル本体４を意匠側から見た図である。
二方向送風型のパネル本体４は、図３に示した実施の形態の吹出口１０にさらにもう一つの吹出口１０Ａを備えた構成である。つまり、パネル本体４の長手方向の中央部において短手方向の両端部に吹出口１０、１０Ａを有し、２つの吹出口１０の間に２つの吸込口９が形成された構成となっている。吹出口１０Ａは本発明の第２吹出口に相当する。
【００５１】
一方向送風型の場合、上述したように空気調和機本体２の短手方向に対向する一対の側面のうち、吹出口１０と逆側の側面側を壁側に寄せて天井埋込型空気調和機１が据え付けられる。しかし、二方向送風型の場合は２つの吹出口１０、１０Ａがあるため、空気調和機本体２の短手方向に対向する一対の側面のどちらが壁側に寄せて配置されることになるか決まっていない。また、空気調和機本体２の短手方向に対向する一対の側面のどちらもが壁側から離れるようにして据え付けられることもある。このため、天井埋込型空気調和機１の据え付け環境に合わせてサイドパネル５の吊り下げ位置を決められるように、開口部１２の複数の角部１７のうち、長手方向において風路から離れた側の複数の角部１７に紐引っ掛け部１３を設けた構成としている。
【００５２】
このように紐引っ掛け部１３を開口部１２に複数設ける場合は、紐引っ掛け部１３の数に合わせて保持部２４もサイドパネル５に複数設ける。保持部２４の位置は、保持部２４と対応する紐引っ掛け部１３との位置関係において、上記Ｌ＜Ｌｍ＜Ｌ＋Ｄ、且つ、Ｌｍ＞Ｌａ、関係を満たすように設置されることは言うまでもない。
【００５３】
（変形例２）
図１０は、本発明の実施の形態に係る天井埋込型空気調和機１の紐引っ掛け部１３の変形例を示す拡大斜視図である。
図６に示した紐引っ掛け部１３は、第１片部１４の先端に２つの第２片部１５ａ、１５ｂを有する構成であったが、図１０に示した変形例の紐引っ掛け部１３Ａは、１つの第２片部１５ａを備えた構成となっている。紐引っ掛け部１３Ａのその他の構成および配置位置は紐引っ掛け部１３と同様である。このように紐引っ掛け部１３Ａを構成しても、上記と同様の効果を得ることができる。
【００５４】
また、本実施の形態では、吊り下げられるパネル部材としてサイドパネル５を挙げて説明したが、サイドパネル５に限られたものではなく、吸込グリル６にも適用できる。
【００５５】
また、開口部１２の形状をここでは矩形状としたが、矩形状に限らなくてもよい。また、開口部１２が作業スペースとして機能する例を説明したが、紐引っ掛け部１３が設けられる開口部は必ずしも作業スペースとして機能する開口部でなくてもよい。また、紐引っ掛け部１３を設ける位置を開口部１２の角部としたが、角部に限らなくても良く、要するに開口部１２の内周部に設けられていれば良い。但し、開口部１２を作業スペースとして用いる場合には、上述したように作業者が触れない位置という意味で、角部とすることが好ましい。
【符号の説明】
【００５６】
１  天井埋込型空気調和機、２  空気調和機本体、３  化粧パネル、４  パネル本体、５  サイドパネル、５ａ  一辺部、５ｂ  一辺部、５ｃ  一辺部、５ｄ  一辺部、６  吸込グリル、６ａ  グリル吸込口、７  ラインフローファン、８  熱交換器、９  吸込口、１０  吹出口、１０Ａ  吹出口、１１  吊り下げボルト、１２  開口部、１２ａ  面、１２ｂ  面、１３  紐引っ掛け部、１３Ａ  紐引っ掛け部、１４  第１片部、１５  第２片部、１５ａ  第２片部、１５ａａ  先端面、１５ｂ  第２片部、１５ｂａ  先端面、１６  両端面、１７  角部、１９  紐、２１  フランジ部、２２  引っ掛け爪、２３  固定爪、２４  保持部、２４ａ  突起部、２４ｂ  貫通孔、２５  ベーン、２７  本体ネジ止め部、２８  サイドパネルネジ止め部。
【図１】
2018167848.tif 000003
【図２】
2018167848.tif 000004
【図３】
2018167848.tif 000005
【図４】
2018167848.tif 000006
【図５】
2018167848.tif 000007
【図６】
2018167848.tif 000008
【図７】
2018167848.tif 000009
【図８】
2018167848.tif 000010
【図９】
2018167848.tif 000011
【図１０】
2018167848.tif 000012
【手続補正書】
【提出日】令和1年6月18日(2019.6.18)
【手続補正１】
【補正対象書類名】明細書
【補正対象項目名】０００７
【補正方法】変更
【補正の内容】
【０００７】
本発明に係る天井埋込型空気調和機は、下方が開口した箱状に構成された空気調和機本体と、空気調和機本体の下方に取り付けられる化粧パネルとを備え、化粧パネルは、空気調和機本体の開口を覆うパネル本体と、パネル本体の下方に着脱自在に取り付けられるパネル部材とを備え、パネル本体は、パネル部材が取り付けられる領域内に開口部を有し、開口部の角部には、紐が引っ掛けられる紐引っ掛け部が、角部から開口部内に突出して一体化されて構成されており、パネル部材には、パネル本体と対向する面側に、紐を保持する保持部が一体化されて構成されており、輪状の紐の一端部が保持部で保持され、他端部が紐引っ掛け部に引っ掛けられてパネル本体とパネル部材とが紐で連結され、開口部は、空気調和機本体に対する作業箇所と対向して形成されているものである。
【手続補正２】
【補正対象書類名】特許請求の範囲
【補正対象項目名】全文
【補正方法】変更
【補正の内容】
【特許請求の範囲】
【請求項１】
下方が開口した箱状に構成された空気調和機本体と、
前記空気調和機本体の下方に取り付けられる化粧パネルとを備え、
前記化粧パネルは、前記空気調和機本体の前記開口を覆うパネル本体と、
前記パネル本体の下方に着脱自在に取り付けられるパネル部材とを備え、
前記パネル本体は、前記パネル部材が取り付けられる領域内に開口部を有し、前記開口部の角部には、紐が引っ掛けられる紐引っ掛け部が、前記角部から前記開口部内に突出して一体化されて構成されており、
前記パネル部材には、前記パネル本体と対向する面側に、前記紐を保持する保持部が一体化されて構成されており、輪状の前記紐の一端部が前記保持部で保持され、他端部が前記紐引っ掛け部に引っ掛けられて前記パネル本体と前記パネル部材とが前記紐で連結され、前記開口部は、前記空気調和機本体に対する作業箇所と対向して形成されている
天井埋込型空気調和機。
【請求項２】
下方が開口した箱状に構成され、一方向に延びて形成された空気調和機本体と、
前記空気調和機本体の下方に取り付けられる化粧パネルとを備え、
前記化粧パネルは、前記空気調和機本体の前記開口を覆うパネル本体と、
前記パネル本体の下方に着脱自在に取り付けられるパネル部材とを備え、
前記パネル本体は、前記パネル部材が取り付けられる領域内に開口部を有し、前記開口部の角部には、紐が引っ掛けられる紐引っ掛け部が、前記角部から前記開口部内に突出して一体化されて構成されており、
前記パネル部材には、前記パネル本体と対向する面側に、前記紐を保持する保持部が一体化されて構成されており、輪状の前記紐の一端部が前記保持部で保持され、他端部が前記紐引っ掛け部に引っ掛けられて前記パネル本体と前記パネル部材とが前記紐で連結され、
前記パネル本体は、前記空気調和機本体の長手方向に延びて形成され、前記パネル本体の長手方向の中央部に吸込口と第１吹出口とが前記パネル本体の前記長手方向に延びて且つ短手方向に並列に形成され、前記パネル本体の前記長手方向の両端部に前記開口部が形成されている天井埋込型空気調和機。
【請求項３】
下方が開口した箱状に構成された空気調和機本体と、
前記空気調和機本体の下方に取り付けられる化粧パネルとを備え、
前記化粧パネルは、前記空気調和機本体の前記開口を覆うパネル本体と、
前記パネル本体の下方に着脱自在に取り付けられるパネル部材とを備え、
前記パネル本体は、前記パネル部材が取り付けられる領域内に開口部を有し、前記開口部の角部には、紐が引っ掛けられる紐引っ掛け部が、前記角部から前記開口部内に突出して一体化されて構成されており、
前記パネル部材には、前記パネル本体と対向する面側に、前記紐を保持する保持部が一体化されて構成されており、輪状の前記紐の一端部が前記保持部で保持され、他端部が前記紐引っ掛け部に引っ掛けられて前記パネル本体と前記パネル部材とが前記紐で連結され、
前記紐引っ掛け部は、前記開口部の前記角部から突出する第１片部と、前記第１片部の先端部から折り返された構成の第２片部とを有し、
前記保持部は、前記パネル部材に対し、以下を満足する位置に形成されている天井埋込型空気調和機。
Ｌ＜Ｌｍ＜Ｌ＋Ｄ  且つ  Ｌｍ＞Ｌａ
ここで、
Ｌ：前記紐引っ掛け部の前記第１片部の前記先端部と前記保持部との距離
Ｄ：前記紐引っ掛け部の前記第１片部の前記先端部と、前記紐引っ掛け部が設けられた前記開口部の角部を構成する２面のうち前記第２片部の先端部と対向する面、との前記第１片部に垂直な方向の距離
Ｌｍ：前記紐が輪状になった状態での長さ
Ｌａ：前記パネル部材が吊り下がった状態において前記パネル部材と紐とが重なる上下方向の長さ
【請求項４】
前記紐引っ掛け部は、前記開口部の角部から前記開口部内に突出する第１片部と、前記第１片部の先端部から互いに逆向きに延びた後に折り返された構成の一対の第２片部とを有する請求項１又は請求項２記載の天井埋込型空気調和機。
【請求項５】
前記紐引っ掛け部は、前記開口部の前記角部から突出する第１片部と、前記第１片部の先端部から折り返された構成の第２片部とを有する請求項１又は請求項２記載の天井埋込型空気調和機。
【請求項６】
前記紐引っ掛け部において前記第２片部の先端部と、前記開口部の前記角部を形成する２面のうち前記第２片部の先端部と対向する面との距離が、前記紐に引っ張り力が加わった状態における太さ以上、前記紐の自然状態における太さ以下に設定されている請求項３〜請求項５の何れか一項に記載の天井埋込型空気調和機。
【請求項７】
前記開口部は矩形状であり、２つの前記開口部のそれぞれにおいて前記紐引っ掛け部の形成位置は、前記開口部の内周の四面のうち、前記パネル本体の長手方向の両端側の一面と前記パネル本体の短手方向に対向する二面のうち前記第１吹出口側の一面とで形成される角部である請求項２記載の天井埋込型空気調和機。
【請求項８】
前記パネル本体には、前記第１吹出口と共に前記吸込口を前記短手方向に挟むようにして第２吹出口が形成され、
前記紐引っ掛け部は、前記開口部の内周の四面のうち、前記パネル本体の長手方向の両端側の一面の両端部に形成されている請求項７記載の天井埋込型空気調和機。
【国際調査報告】
2018167848.tif 000013
2018167848.tif 000014
2018167848.tif 000015
2018167848.tif 000016